(57)【特許請求の範囲】
【請求項１】
熱源機により加熱された往きの温水が通過する温水往き部と、該温水往き部と略平行に設けられ、温水循環式簡易床暖房パネルから熱源機に向かう戻りの温水が通過する温水戻り部と、前記温水往き部と温水戻り部に対して直交して設けられ、温水往き部と温水戻り部とを連通するバイパス部と、該バイパス部に組み込まれる調整弁とを有し、該調整弁を操作することにより温水循環式簡易床暖房パネルの床暖房能力を調整する温水調整弁装置において、前記調整弁は略円筒状の弁受部の中に略円柱状の弁部を組み込むことにより形成され、前記弁受部にはバイパス部内で温水戻り部と同一軸線上に温水戻り部と連通する弁受部バイパス孔が形成され、前記弁部にはバイパス部内で温水往き部と同一軸線上に温水往き部を全開から全閉に可変するための弁部バイパス孔を形成すると共に、前記弁受部バイパス孔を全開から全閉に可変するためのバイパス用孔を設けたことを特徴とする温水調整弁装置。
【請求項２】
前記弁部は前方が中空に形成され、弁部バイパス孔とバイパス用孔は弁部の中空部分に形成すると共に、バイパス用孔は孔位置が弁部バイパス孔と略９０度ずれて形成したことを特徴とする請求項１記載の温水調整弁装置。
【請求項３】
前記弁受部の弁受部バイパス孔又は弁部のバイパス用孔の一方を弁受部又は弁部の外周面を反対側まで貫通して形成し、他方を外周面からその中空部分まで貫通して形成したことを特徴とする請求項１又は請求項２記載の温水調整弁装置。
【発明の詳細な説明】
【０００１】
【発明が属する技術分野】
この発明は、温水循環式簡易型床暖房パネル等への温水循環路に用いられ、温水の流量及び温水の往きと戻りのバイパス量を調整する温水調整弁装置に関するものである。
【０００２】
【従来の技術】
従来より、この種の温水調整弁装置として、例えば図５、図７のように、まず灯油やガスなどを燃料として燃焼し、その燃焼ガスと温水とを熱交換部１０１で熱交換して加熱し、加熱した温水を循環ポンプ１０２により循環させる熱源機１０３と、前記循環ポンプ１０２より送り出される温水が通る往管１０４と、該往管１０４を通ってきた温水が放熱部１０５で放熱し、送風ファン１０６により吹き出される空気を温風にして暖房を行う温水式温風暖房機１０７と、該温水式温風暖房機１０７内の放熱部１０５を通過して放熱した温水が熱源機１０３へ戻るために通る復管１０８とで温水循環路１０９が構成されている。
【０００３】
そして前記温水式温風暖房機１０７内には、室内の床の上に置いて床暖房を行う温水循環式簡易型床暖房パネル１１０を接続するために、温水の往きと戻りがそれぞれ分岐され、熱源機１０３からきた温水を温水循環式簡易型床暖房パネル１１０へ分岐する温水往き分岐部１１１には、往き用開閉弁１１２が設けられ、温水循環式簡易型床暖房パネル１１０から戻ってきた温水を、温水式温風暖房機１０７から熱源機１０３へ戻る温水と合流させる温水戻り合流部１１３には、戻り用開閉弁１１4 が設けられ、前記往き用開閉弁１１２及び戻り用開閉弁１１4は、操作レバー１１５を操作することにより手動で開閉できるものである。
【０００４】
そして前記温水式温風暖房機１０７と温水循環式簡易型床暖房パネル１１０との間には、可とう性のゴム管や合成樹脂管などからなり、温水往き分岐部１１１に接続された温水往き管１１６とパネル側往き管１１７とを連通すると共に、温水戻り合流部１１３に接続された温水戻り管１１８とパネル側戻り管１１９とを連通する温水調整弁装置１２０が設けられているものである。
【０００５】
前記温水調整弁装置１２０は、底板１２１と、カバー１２２と、弁装置本体１２３と、調整つまみ１２４とからなり、前記弁装置本体１２３内には温水循環式簡易型床暖房パネル１１０への往きの温水が通過する温水往き部１２５と、温水循環式簡易型床暖房パネル１１０からの戻りの温水が通過する温水戻り部１２６とが温水路として弁装置本体１２３内を貫通する状態で平行に形成されている。
【０００６】
又前記温水往き部１２５と温水戻り部１２６とに対して、直交する状態で直交する方向から、前記温水往き部１２５と温水戻り部１２６とを連通する穴状のバイパス部１２７が形成され、該バイパス部１２７は温水往き部１２５を貫通する小径部１２８と、温水戻り部１２６を貫通する大径部１２９と、バイパス部１２７の開口部分に形成され、内径が前記大径部１２９より大きい係止部１３０とからなるものである。
【０００７】
又前記弁装置本体１２３の温水往き部１２５と温水戻り部１２６の各端部には、温水往き管１１６、パネル側往き管１１７、温水戻り管１１８、パネル側戻り管１１９とを差し込んで接続するための略円筒状の管接続口１３１、１３２、１３３、１３４が設けられ、又前記大径部１２９には、図６のように略円筒状の弁受部１３５の中空部分に略円柱状の弁部１３６が組み込まれて構成される調整弁１３７が差し込まれている。
【０００８】
前記弁受部１３５の先部１３８は、外径が大径部１２９内径より小さく、かつ先端部分がＵ字形の半円筒状に形成されており、中部１３９は外径が先部１３８外径より小さく、端部１４０は端部分に外径が大径部１２９内径と略等しい内接部１４１と、外径が係止部１３０内径と略等しく端部１４０の端に設けた鍔状の係止片部１４２と、該係止片部１４２と内接部１４１との間に外径が大径部１２９内径より若干大きい弾性のOリング１４３を係止するためのOリング用溝１４４とから形成されており、更に前記中部１３９及び端部１４０の中空部分の内径は先部１３８内径より小さく設けられているものである。
【０００９】
又前記弁部１３６の先端部１４５は、外径が弁受部１３５の先部１３８内径と略等しく、かつ内径が小径部１２８より大きく、その先端部分がＵ字形の半円筒状に形成されており、中央部１４６は外径が弁受部１３５の中部１３９と端部１４０との中空部分の内径と略等しく、更に外径が前記中空部分の内径より若干大きい弾性のOリング１４７を係止するためのOリング溝１４８が形成され、更にその端部分には外径が中央部１４６より小さく、弁部１３６を回動させるための調整つまみ１２４を取り付けるつまみ取付部１４９が設けられている。
【００１０】
次にこの従来の温水調整弁装置の動作について説明する。
まず、調整つまみ１２４をカバー１２２に表示されている「ぬるめ」の方向にいっぱいに回すと、図８(ア)のように弁受部１３５の先部１３８のＵ字形半円筒状部分内に、弁部１３６の先端部１４５のＵ字形半円筒状部分がちょうど重なるような位置関係になって、弁受部１３５と弁部１３６とによる開放部分が最大となって調整弁１３７は全開となる。
【００１１】
それにより温水往き管１１６から流れてきた温水は、温水調整弁装置１２０内の温水往き部１２５を通過してパネル側往き管１１７へ流れると共に、温水往き部１２５からバイパス部１２７を通過して温水戻り管１１８へと流れ、又温水循環式簡易型床暖房パネル１１０で放熱してパネル側戻り管１１９へ流れてきた温水は、温水調整弁装置１２０内の温水戻り部１２６を通過して温水戻り管１１８へ流れると共に、温水戻り部１２６からバイパス部１２７を通過してパネル側往き管１１７へと流れ、温水循環式簡易型床暖房パネル１１０による床暖房能力は最小になるものである。
【００１２】
そしてその状態から調整つまみ１２４をカバー１２２に表示されている「あつめ」の方向に徐々に回していくと、図７のａａ断面の図８(ア)から(イ)(ウ)(エ)のように、弁受部１３５と弁部１３６とによる開放部分が徐々に小さくなって調整弁１３７は全閉状態に近づいていく。
【００１３】
そして調整つまみ１２４をカバー１２２に表示されている「あつめ」の方向にいっぱいに回すと、図８(オ)のように弁受部１３５の先部１３８のＵ字形半円筒状部分と、弁部１３６の先端部１４５のＵ字形半円筒状部分とがちょうど正反対となるような位置関係になって、弁受部１３５と弁部１３６とによる開放部分が閉鎖された状態となって調整弁１３７は全閉となり、その結果、温水往き管１１６から流れてきた温水は、温水調整弁装置１２０内の温水往き部１２５を通過して全部パネル側往き管１１７へ流れると共に、温水循環式簡易型床暖房パネル１１０で放熱してパネル側戻り管１１９へ流れてきた温水は、温水調整弁装置１２０内の温水戻り部１２６を通過して全部温水戻り管１１８へ流れ、温水循環式簡易型床暖房パネル１１０による床暖房能力は最大になるものである。
【００１４】
【発明が解決しようとする課題】
ところでこの従来の温水調整弁装置では、温水循環式簡易型床暖房パネルによる床暖房の開始及び停止は、あくまで温水式温風暖房機の操作レバーを操作して往き用開閉弁及び戻り用開閉弁を開閉して行うものであるため、温水調整弁装置の温水往き部及び温水戻り部は常に開放されている構造となり、したがって温水調整弁装置の調整つまみを操作して温水循環式簡易型床暖房パネルによる床暖房の開始及び停止を行うことができなかった。
【００１５】
又温水循環式簡易型床暖房パネルによる床暖房能力を調整したい時は、温水調整弁装置の調整つまみを回動させて行うが、調整つまみをカバーに表示されている「ぬるめ」の方向から「あつめ」の方向に回して床暖房能力を大きくしようとしても、弁受部と弁部とによる開放部分が全開から徐々に小さくなって、調整弁が全閉状態に近づいていく割には、温水往き部からバイパス部を通過して温水戻り管へと流れる温水と、温水戻り部からバイパス部を通過してパネル側往き管へと流れる温水が減少せず、図８(エ)のように、弁受部と弁部とによる開放部分がわずかになり、調整弁が全閉状態に近づいた状態になって急激にバイパス部を通過する温水の量が減少して床暖房能力が最大に近いところまで上がるものであった。
【００１６】
又逆に、調整つまみをカバーに表示されている「あつめ」の方向から「ぬるめ」の方向に回して床暖房能力を小さくしようとしても、弁受部と弁部とによる開放部分が図８(オ)の全閉から図８(エ)のように、弁受部と弁部とによる開放部分がわずかな状態まではバイパス部を通過する温水の量が少なく、調整つまみの回動により床暖房能力を小さくできるが、弁受部と弁部とによる開放部分が図８(エ)から図８(ウ)へと変化しようとする途中で、急激にバイパス部を通過する温水の量が増加して床暖房能力が最小に近いところまで下がるものであった。
【００１７】
本発明はこのような問題に鑑み、温水循環式簡易型床暖房パネルによる床暖房の開始及び停止を、温水調整弁装置を操作することで行うことができ、しかも温水調整弁装置を操作することにより、温水循環式簡易型床暖房パネルによる床暖房能力を最大から停止まで無段階に調整することができる温水調整弁装置を提供することを解決すべき課題とするものである。
【００１８】
【課題を解決するための手段】
本発明はこの点に着目し上記欠点を解決するため、特にその構成を、請求項１では、熱源機により加熱された往きの温水が通過する温水往き部と、該温水往き部と略平行に設けられ、温水循環式簡易床暖房パネルから熱源機に向かう戻りの温水が通過する温水戻り部と、前記温水往き部と温水戻り部に対して直交して設けられ、温水往き部と温水戻り部とを連通するバイパス部と、該バイパス部に組み込まれる調整弁とを有し、該調整弁を操作することにより温水循環式簡易床暖房パネルの床暖房能力を調整する温水調整弁装置において、前記調整弁は略円筒状の弁受部の中に略円柱状の弁部を組み込むことにより形成され、前記弁受部にはバイパス部内で温水戻り部と同一軸線上に温水戻り部と連通する弁受部バイパス孔が形成され、前記弁部にはバイパス部内で温水往き部と同一軸線上に温水往き部を全開から全閉に可変するための弁部バイパス孔を形成すると共に、前記弁受部バイパス孔を全開から全閉に可変するためのバイパス用孔を設けたものである。
【００１９】
又本発明の請求項２に係る温水調整弁装置では、特にその構成を、請求項１に於いて、前記弁部は前方が中空に形成され、弁部バイパス孔とバイパス用孔は弁部の中空部分に形成すると共に、バイパス用孔は孔位置が弁部バイパス孔と略９０度ずれて形成したものである。
【００２０】
又本発明の請求項３に係る温水調整弁装置では、特にその構成を、請求項１又は請求項２に於いて、前記弁受部の弁受部バイパス孔又は弁部のバイパス用孔の一方を弁受部又は弁部の外周面を反対側まで貫通して形成し、他方を外周面からその中空部分まで貫通して形成したものである。
【００２１】
【発明の実施の形態】
前記構成による請求項１記載の温水調整弁装置によれば、熱源機からの往きの温水が通過する温水往き部と、温水往き部と略平行に設けられ、温水循環式簡易床暖房パネルからの戻りの温水が通過する温水戻り部と、前記温水往き部と温水戻り部に対して直交して連通するバイパス部と、該バイパス部に組み込まれ、操作することにより温水循環式簡易床暖房パネルの床暖房能力を調整する調整弁とを有し、該調整弁は略円筒状の弁受部の中に前方が中空の略円柱状の弁部が組み込まれ、前記弁受部にはバイパス部内で温水戻り部と連通する弁受部バイパス孔が形成され、前記弁部にはバイパス部内で温水往き部を全開から全閉に可変するための弁部バイパス孔と、前記弁受部バイパス孔を全開から全閉に可変するためのバイパス用孔とを設けたものである。
【００２２】
これにより、調整弁を操作することにより熱源機から温水循環式簡易床暖房パネルへ流れる往きの温水量や温水循環式簡易床暖房パネルから熱源機へ流れる戻りの温水量を最大からゼロまで無段階に調整できるので、温水循環式簡易床暖房パネルの床暖房能力を最大からゼロまで調整できるものである。
【００２３】
前記構成による請求項２記載の温水調整弁装置によれば、請求項１の温水調整弁装置において、弁部の前方を中空に形成し、前記弁部バイパス孔とバイパス用孔は弁部の中空部分に形成すると共に、バイパス用孔は孔位置が弁部バイパス孔と略９０度ずれて形成したものである。
【００２４】
これにより、弁部バイパス孔が温水往き部を少しでも開放すると、往きの温水の一部が弁部の中空部分を通って弁受部バイパス孔とバイパス用孔とが一致している開放部分から温水戻り部へ流れる、又は戻りの温水の一部が弁受部バイパス孔とバイパス用孔とが一致している開放部分から弁部の中空部分を通って温水往き部へ流れるというように、往きと戻りの温水を混合させることができ、それにより温水の流量や往きの温水温度を可変させて温水循環式簡易床暖房パネルの床暖房能力を最大からゼロまでより無段階に調整できるものである。
【００２５】
更にバイパス用孔と弁部バイパス孔との孔位置を略９０度ずれて形成したので、弁部バイパス孔が温水往き部を全開にする時、弁受部バイパス孔とバイパス用孔とが一致している開放部分はなく弁受部バイパス孔は全閉で、弁部バイパス孔が温水往き部を全閉にする時、弁受部バイパス孔とバイパス用孔とが完全に一致し、したがって温水往き部を全開から全閉に徐々にすれば、それに伴って弁受部バイパス孔とバイパス用孔とが一致している開放部分が全閉から全開に徐々に可変されるので、往きの温水の流量と往きの温水温度とを両方可変させて水循環式簡易床暖房パネルの床暖房能力を最大からゼロまでより無段階に調整できるものである。
【００２６】
前記構成による請求項３記載の温水調整弁装置によれば、請求項１又は請求項２の温水調整弁装置において、弁受部の弁受部バイパス孔又は弁部のバイパス用孔の一方を弁受部又は弁部の外周面を反対側まで貫通して形成し、他方を外周面からその中空部分まで貫通して形成したものである。
【００２７】
これにより弁部と弁受部とを組み込む向きを指定しなくとも、必ず弁受部バイパス孔とバイパス用孔とが一致する部分が温水調整弁装置内の温水戻り部の上流側又は下流側に形成され、それにより往きと戻りの温水を混合させることができるので、弁受部に弁部を組み込む方向が１８０度逆さまになっても、調整弁を１８０度回動させれば必ず弁受部バイパス孔とバイパス用孔の孔位置が全く一致しない状態から完全に一致する状態まで変化するので、弁受部に弁部を組み込む方向を注意せずに組み込むことができ、温水調整弁装置の組み立てを容易にすることができるものである。
【００２８】
【実施例】
次に、この発明に係る温水調整弁装置を図面に示された一実施例で説明する。
１は熱源機で、灯油やガスなどを燃料として燃焼し、その燃焼ガスと温水とを熱交換部２で熱交換して加熱し、加熱した温水を循環ポンプ３により循環させるものである。
【００２９】
４は往きヘッダで、熱源機１から往管５を通って流れてきた温水を複数の温水循環回路に分流するもので、本実施例では２回路に分流するものである。
【００３０】
６は戻りヘッダで、複数の温水循環回路から戻ってきた温水を合流させて、その合流した温水を復管７を介して熱源機１に戻すもので、本実施例では２回路を合流するものである。
【００３１】
８は温水式温風暖房機で、往きヘッダ４から温風暖房用往管９を通ってきた温水が機内の放熱部１０で放熱し、送風ファン１１により吹き出される空気を温風にして暖房を行い、放熱部１０を通過した温水は温風暖房用復管１２を通って戻りヘッダ６へ流れ、更に熱源機１へと戻り、これにより温風暖房用温水回路１３を形成するものである。
【００３２】
１４は温水循環式簡易型床暖房パネルで、室内の畳や床の上に置いて床暖房を行うもので、床暖房用往管１５を通ってきた温水がパネル内のパイプ１６を通過して放熱することにより床暖房を行うものであり、パイプ１６を通過した温水は床暖房用復管１７へと流れていくものである。
【００３３】
１８は温水調整弁装置で、往きヘッダ４と温水循環式簡易型床暖房パネル１４との間に設けられ、往きヘッダ４から温水調整弁装置用往管１９を通ってきた温水を床暖房用往管１５に通し、床暖房用復管１７を通ってきた温水を温水調整弁装置用復管２０へと流すもので、手動により床暖房のオンオフ及び床暖房能力を床暖房停止から床暖房最大まで無段階に調整するものであり、これにより床暖房用温水回路２１を形成するものである。
【００３４】
次に、前記温水調整弁装置１８の構造について説明する。
前記温水調整弁装置１８は、底板２２と、カバー２３と、弁装置本体２４と、調整つまみ２５とからなり、前記弁装置本体２４内には温水循環式簡易型床暖房パネル１４への往きの温水が通過する温水往き部２６と、温水循環式簡易型床暖房パネル１４からの戻りの温水が通過する温水戻り部２７とが温水路として弁装置本体２４内を貫通する状態で平行に形成されている。
【００３５】
又前記温水往き部２６と温水戻り部２７とに対して、直交する状態で直交する方向から、前記温水往き部２６と温水戻り部２７とを連通する穴状のバイパス部２８が形成され、該バイパス部２８は温水往き部２６を貫通する小径部２９と、温水戻り部２７を貫通する大径部３０と、バイパス部２８の開口部分に形成され、内径が前記大径部３０より大きく、大径部３０との境の部分にテーパ面３１が形成されている係止部３２とからなるものである。
【００３６】
又前記弁装置本体２４の温水往き部２６と温水戻り部２７の各端部には、床暖房用往管１５、床暖房用復管１７、温水調整弁装置用往管１９、温水調整弁装置用復管２０とを差し込んで接続するための略円筒状の管接続口３３、３４、３５、３６が設けられ、又前記大径部３０には、略円筒状の弁受部３７の中空部分に略円柱状の弁部３８が組み込まれて構成される調整弁３９が差し込まれている。
【００３７】
前記弁受部３７は先部４０と中部４１と端部４２からなり、前記先部４０は、鍔状で外径が大径部３０の内径と略等しく、中空部分の端部分には内径が弁部３８の外径と略等しい弾性のOリング４３が組み込まれるようにテーパ部４４が形成されており、前記中部４１は外径が大径部３０の内径より小さく、円周部分には弁部３８として弁装置本体２４に組み込んだ時、温水戻り部２７と同じ位置にくるように円周面を反対側まで貫通する弁受部バイパス孔４５が形成されている。
【００３８】
又、前記端部４２は鍔状で外径が大径部３０内径と略等しい内接部４６と、前記端部４２の端に位置し鍔状で外径が弁装置本体２４の高さと等しい円弧部４７と、調整弁３９をバイパス部２８に差し込んだ時弁受部バイパス孔４５が温水戻り部２７と一致するように前記円弧部４７の対向する二端を直線状に形成して大径部の係止部３２と係合する位置決め部４８とからなる係止片部４９と、前記内接部４６と係止片部４９との間に外径が大径部３０内径より若干大きいOリング５０が組み込まれるように外径が中部４１外径より大きく内接部４６外径より小さいOリング用溝５１とからなるものである。
【００３９】
又前記弁受部３７の中空部分は、先部４０と中部４１はその中空部分の内径が弁部３８外径と略等しく、中部４１から端部４２の中空部分の内径は先部４０と中部４１の中空部分の内径より小さく形成されているものである。
【００４０】
又前記弁部３８は前部５２と後部５３とからなり、前記前部５２は中空状で長手方向に長穴５４が形成されていると共に、該長穴５４の先端付近の円周部分には円周面を反対側まで貫通する弁部バイパス孔５５が形成されており、又長穴５４の後端付近の円周部分には、外周面から長穴５４まで貫通し弁部バイパス孔５５に対して９０度ずれた位置にバイパス用孔５６が形成されているものである。
【００４１】
又、前記後部５１は略円筒状で、外径が前部５０より小さくて弁受部３７の端部４２の中空部分の内径と略等しく、端の部分は断面Ｄ字状になるようにＤカット加工されて係止面５７が形成されており、又前部５０と係止面５７との間に、端部４２の中空部分内周と密着するためのＯリング５８が複数取り付けられるように、Ｏリング取付溝５９が複数形成されているものである。
【００４２】
又前記弁部３８の後部５３には、その後部５３の端部４２に軸の回動範囲を規制する略中空円板状の規制ワッシャ６０を組付けた後、前記調整つまみ２５を差込み、該調整つまみ２５に設けたねじ切りされた固定孔６１に、六角穴付き止めねじ６２を係止面５７に当たるまでねじ込んで、調整つまみ２５を固定するものである。
【００４３】
そして弁装置本体２４のバイパス部２８に弁部３８を差し込み、その弁装置本体２４を底板２２に組み込み、次に弁部３８の後部５３に規制ワッシャ６０を組付けた後調整つまみ２５を固定し、その上からカバー２３を被せて、カバー２３両側面に形成したねじ用孔６３から止めねじ６４を差し込み、該止めねじ６４が底板２２両側面のねじ孔６５を貫通し、弁装置本体２４の両側面に形成したねじ切り穴６６に螺合して温水調整弁装置１８が組み立てられるものである。
【００４４】
次にこの温水調整弁装置の動作について説明する。
まず、調整つまみ２５をカバー２３に表示されている「あつめ」の方向にいっぱいに回すと、温水調整弁装置１８の温水往き部２６は、図３のｂｂ断面の図４(ａ)のように温水往き部２６に対して弁部３８の弁部バイパス孔５５が水平状態となり、温水調整弁装置用往管１９から流れてきた温水は、ほとんど抵抗がない状態で弁部バイパス孔５３を通過して床暖房用往管１５へと流れていく。
【００４５】
又その時、温水調整弁装置１８の温水戻り部２７は、図３のｃｃ断面の図４(ｄ)のように温水戻り部２７と水平状態に位置が固定されている弁受部３７の弁受部バイパス孔４５に対して、弁部３８のバイパス用孔５６は垂直状態となり、それによりバイパス部２８は不通となり、床暖房用復管１７から流れてきた温水は、大径部３０の内周と弁受部３７の中部４１外周との空間を通過して温水調整弁装置用復管２０へと流れていく。
【００４６】
したがって調整つまみ２５を「あつめ」の方向にいっぱいに回した状態では、温水循環式簡易型床暖房パネル１４への往きの温水は、温水調整弁装置１８内のバイパス部２８から戻りの温水に合流することなく、全て温水循環式簡易型床暖房パネル１４へ往くので、温水循環式簡易型床暖房パネル１４への往きの温水は最大流量となり、更に温水調整弁装置１８内で往きの温水に戻りの温水が全く混合しないので、往きの温水温度は戻りの温水の混合による温度低下がなく、それによりこの時が温水循環式簡易型床暖房パネル１４の最大床暖房能力の状態となるものである。
【００４７】
この調整つまみ２５を「あつめ」にいっぱいに回して最大床暖房能力とした状態から、調整つまみ２５を「ぬるめ」の方向に徐々に回していくと、温水往き部２６の流路の垂直面の断面積に対して弁部バイパス孔５５の垂直面の断面積が徐々に小さくなり、調整つまみ２５を「あつめ」と「ぬるめ」の中間ぐらいまで回した時、温水調整弁装置１８の温水往き部２６は、図３のｂｂ断面の図４(ｂ)のように温水往き部２６に対して弁部３８の弁部バイパス孔５５が約４５度の状態となり、温水往き部２６の流路の垂直面の断面積に対して弁部バイパス孔５５の垂直面の断面積が約半分になるので、温水循環式簡易型床暖房パネル１４への往きの温水流量は減少するものである。
【００４８】
又その時、温水調整弁装置１８の温水戻り部２７は、図３のｃｃ断面の図４(ｅ)のように温水戻り部２７と水平状態に位置が固定されている弁受部３７の弁受部バイパス孔４５に対して、弁部３８のバイパス用孔５６の孔が一部一致する状態となり、床暖房用復管１７から温水調整弁装置１８内に流れてきた温水は、その一部が前記弁受部バイパス孔４５とバイパス用孔５６が一部一致している部分に流入して、長穴５４を通って弁部３８の弁部バイパス孔５５から床暖房用往管１５へと流れる往きの温水に混合するものである。
【００４９】
又逆に、温水調整弁装置用往管１９から温水調整弁装置１８内に流れてきた往きの温水の一部が、弁部３８の弁部バイパス孔５５から長穴５４を通って前記弁受部バイパス孔４５とバイパス用孔５６が一部一致している部分から流出して、温水調整弁装置用復管２０へと流れる戻りの温水に混合するものである。
【００５０】
上記のように温水往き部２６を流れる往きの温水量がバイパス部２８内の調整弁３９により減少すると共に、調整弁３９内を介して往きの温水の一部が戻りの温水へと流れ、又調整弁３９内を介して戻りの温水の温水の一部が往きの温水へと流れるので、温水循環式簡易型床暖房パネル１４への往きの温水温度は低下することにより、温水循環式簡易型床暖房パネル１４の床暖房能力は小さくなるものである。
【００５１】
そして更に調整つまみ２５を「ぬるめ」の方向にいっぱいに回すと、温水調整弁装置１８の温水往き部２６は、図３のｂｂ断面の図４(ｃ)のように温水往き部２６に対して弁部３８の弁部バイパス孔５５が垂直状態となって、温水往き部２６が閉塞してしまうので、調整弁装置用往管１９から流れてきた温水は、温水調整弁装置１８を通過できず、温水循環式簡易型床暖房パネル１４への温水量はゼロとなって床暖房が停止されるものである。
【００５２】
又その時温水調整弁装置１８の温水戻り部２７は、図３のｃｃ断面の図４(ｆ)のように温水戻り部２７と水平状態に位置が固定されている弁受部３７の弁受部バイパス孔４５に対し、弁部３８のバイパス用孔５６の孔が完全に一致する状態となるものの温水往き部２６が閉塞されているので、床暖房用復管１７から温水ｔが流れてくることはなく、又調整弁３９内を通過して温水調整弁装置用復管２０へと流れる温水もなく、床暖房が停止されている状態となっているものである。
【００５３】
尚、本実施例では、熱源機１から往く温水を往きヘッダ４で複数の温水循環回路に分流し、戻りヘッダ６で複数の温水循環回路から戻ってきた温水を合流させて熱源機１に戻していたがこれに限定されず、従来例のように熱源機１と温水式温風暖房機８とで温水循環路を構成し、この温水式温風暖房機８内の温水往き分岐部と温水戻り合流部に可とう性のゴム管や合成樹脂管などのパイプを介して温水調整弁装置１８を接続し、更にこの温水調整弁装置１８に可とう性のゴム管や合成樹脂管などのパイプを介して温水循環式簡易型床暖房パネル１４を接続するようにしてもよい。
【００５４】
又、本実施例では、弁受部バイパス孔４５を弁受部３７の中部４１円周面を反対側まで貫通して形成すると共に、バイパス用孔５６を弁部バイパス孔５５に対して９０度ずれた位置になるように、弁部３８の長穴５４の後端付近の外周面から長穴５４まで貫通して形成したがこれに限定されず、少なくとも弁受部バイパス孔４５又はバイパス用孔５６の一方を円周面を反対側まで貫通して形成し、他方を外周面からその中空部分まで貫通して形成するようにしてもよい。
【００５５】
上記に於いて例えば弁受部バイパス孔４５及びバイパス用孔５６の両方を円周面を反対側まで貫通して形成すれば、調整つまみ２５が「あつめ」と「ぬるめ」の間にある時、弁受部バイパス孔４５とバイパス用孔５６が一部一致している部分が床暖房用復管１７側及び温水調整弁装置用復管２０側の両方に形成されるので、弁部３８内の長穴５４内に床暖房用復管１７からの戻り温水が流れ込むと共に、長穴５４内から温水調整弁装置用復管２０へ温水調整弁装置用往管１９を通ってきた往きの温水の一部が流れ込むことにより、床暖房用往管１５へと流れる往きの温水の温度が低くなり、温水循環式簡易型床暖房パネル１４の床暖房能力を調整する。
【００５６】
又弁受部バイパス孔４５又はバイパス用孔５６の一方を、弁受部３７又は弁部３８の外周面からそのまま反対側まで貫通して形成し、他方を外周面からその中空部分まで貫通して形成すれば、調整つまみ２５が「あつめ」と「ぬるめ」の間にある時、弁受部バイパス孔４５とバイパス用孔５６が一部一致している部分が床暖房用復管１７側に形成されれば、温水調整弁装置用往管１９を通ってきた往きの温水の一部がら温水調整弁装置用復管２０へ流れ込むことよりも、床暖房用復管１７からの戻りの温水が温水調整弁装置用往管１９へ流れ込むことの方が作用して、床暖房用往管１５へと流れる往きの温水の温度が低くなり、又弁受部バイパス孔４５とバイパス用孔５６が一部一致している部分が温水調整弁装置用復管２０側に形成されれば、床暖房用復管１７からの戻りの温水が温水調整弁装置用往管１９へ流れ込むことよりも、温水調整弁装置用往管１９を通ってきた往きの温水の一部が温水調整弁装置用復管２０へ流れ込むことの方が作用して、床暖房用往管１５へと流れる往きの温水の温度が低くなるものである。
【００５７】
以上のように、温水調整弁装置１８内の、往きの温水が流れる温水往き部２６と戻りの温水が流れる温水戻り部２７とを穴状のバイパス部２８で連通し、このバイパス部２８に、略円筒状でその円筒部分の略中央に弁受部バイパス孔４５を形成した弁受部３７の中空部分に、略円柱状で長手方向に長穴５４が形成され、該長穴５４の先端に円周面を反対側まで貫通する弁部バイパス孔５５を形成し更に長穴５４の後端には、外周面から長穴５４まで貫通し弁部バイパス孔５５に対して９０度ずれた位置にバイパス用孔５６を形成した弁部３８が組み込まれて構成される調整弁３９を差し込み、この弁部３８に固定された調整つまみ２５を回動させることにより、温水往き部２６が弁部バイパス孔５５により全開から全閉まで無段階に調整され、それに対応して、弁受部バイパス孔４５とバイパス用孔５６が全く一致していない状態から全部一致している状態まで無段階に変化するので、温水往き部２６が全開の時にバイパス部２８が全閉となり、その状態から温水往き部２６を徐々に閉じていくとバイパス部２８が徐々に開いていき、温水往き部２６が全閉の時にバイパス部２８が全開となり、温水調整弁装置１８に接続されている温水循環式簡易型床暖房パネル１４の床暖房を温水調整弁装置１８の操作でオンオフすることができ、更に往きの温水量を増減すると共に、往きの温水量の増減に対応して往きと戻りの間でバイバスされる温水量を増減するので、温水循環式簡易型床暖房パネル１４の床暖房能力をゼロから最大まで無段階に調節することができるものである。
【００５８】
又、大径部の係止部３２と係合する位置決め部４８を形成した係止片部４９を、弁受部３７の端部４２に設けたことにより、バイパス部２８に調整弁３９を差し込む方向が１８０度逆さまになっても、常に弁受部バイパス孔４５が温水戻り部２７と一致するので、調整弁３９を差し込む方向を注意せずに組み込むことができ、温水調整弁装置１８の組み立てを容易にすることができるものである。
【００５９】
又、弁受部３７の弁受部バイパス孔４５又は弁部３８のバイパス用孔５６の一方を円周面を反対側まで貫通して形成し、他方を外周面からその中空部分まで貫通して形成させたことにより、弁受部３７に弁部３８を組み込む方向が１８０度逆さまになっても調整つまみ２５を１８０度回動させれば必ず弁受部バイパス孔４５とバイパス用孔５６の孔位置が全く一致しない状態から完全に一致する状態まで変化するので、弁受部３７に弁部３８を組み込む方向を注意せずに組み込むことができ、温水調整弁装置１８の組み立てを容易にすることができるものである。
【００６０】
【発明の効果】
以上のように請求項１の温水調整弁装置によれば、温水往き部と温水戻り部に対して直交して連通するバイパス部に組み込まれた調整弁に、温水往き部を全開から全閉にする弁部バイパス孔を設けると共に、バイパス部を全開から全閉にする弁受部バイパス孔とバイパス用孔とを設けたので、調整弁を操作することにより熱源機から温水循環式簡易床暖房パネルへ流れる往きの温水量や温水循環式簡易床暖房パネルから熱源機へ流れる戻りの温水量を最大からゼロまで無段階に調整でき、更に往きの温水と戻りの温水との混合も最大からゼロまで無段階に調整できるので、温水循環式簡易床暖房パネルの床暖房能力を最大からゼロまで調整できるものである。
【００６１】
又請求項２の温水調整弁装置によれば、調整弁の弁部の前方を中空に形成してそこに弁部バイパス孔とバイパス用孔とを孔位置を略９０度ずらして形成したので、弁部バイパス孔が温水往き部を少しでも開放すると、往きの温水の一部が弁部の中空部分を通って弁受部バイパス孔とバイパス用孔とが一致している開放部分から温水戻り部へ流れる、又は戻りの温水の一部が弁受部バイパス孔とバイパス用孔とが一致している開放部分から弁部の中空部分を通って温水往き部へ流れるというように、往きと戻りの温水を混合させることができ、それにより温水の流量や往きの温水温度を可変させて温水循環式簡易床暖房パネルの床暖房能力を最大からゼロまでより無段階に調整できるものである。
【００６２】
更に、弁部バイパス孔が温水往き部を全開にする時、弁受部バイパス孔とバイパス用孔とが一致している開放部分はなく弁受部バイパス孔は全閉で、弁部バイパス孔が温水往き部を全閉にする時、弁受部バイパス孔とバイパス用孔とが完全に一致し、したがって温水往き部を全開から全閉に徐々にすれば、それに伴って弁受部バイパス孔とバイパス用孔とが一致している開放部分が全閉から全開に徐々に可変されるので、往きの温水の流量と往きの温水温度とを両方可変させて水循環式簡易床暖房パネルの床暖房能力を最大からゼロまでより無段階に調整できるものである。
【００６３】
又請求項３の温水調整弁装置によれば、弁受部の弁受部バイパス孔又は弁部のバイパス用孔の一方を弁受部又は弁部の外周面から反対側まで貫通して形成し、他方を外周面からその中空部分まで貫通して形成したので、弁部と弁受部とを組み込む向きを指定しなくとも、必ず弁受部バイパス孔とバイパス用孔とが一致する部分が温水調整弁装置内の温水戻り部の上流側又は下流側に形成され、それにより往きと戻りの温水を混合させることができるので、弁受部に弁部を組み込む方向が１８０度逆さまになっても、調整弁を１８０度回動させれば必ず弁受部バイパス孔とバイパス用孔の孔位置が全く一致しない状態から完全に一致する状態まで変化するので、弁受部に弁部を組み込む方向を注意せずに組み込むことができ、温水調整弁装置の組み立てを容易にすることができるものである。
【図面の簡単な説明】
【図１】  この発明の一実施例を付した温水調整弁装置を使用した温水循環路の構成図。
【図２】同温水調整弁装置の分解斜視図。
【図３】同温水調整弁装置の断面図。
【図４】同温水調整弁装置の調整弁の動作を示す要部断面図。
【図５】従来例の温水調整弁装置を使用した温水循環路の構成図。
【図６】同調整弁の分解斜視図。
【図７】同断面図。
【図８】同温水調整弁装置の調整弁の動作を示す要部断面図。
【符号の説明】
１    熱源機
１４  温水循環式簡易床暖房パネル
２６  温水往き部
２７  温水戻り部
２８  バイパス部
３７  弁受部
３８  弁部
３９  調整弁
４５  弁受部バイパス孔
５５  弁部バイパス孔
５６  バイパス用孔
【図１】
0003898452.tif 000002
【図２】
0003898452.tif 000003
【図３】
0003898452.tif 000004
【図４】
0003898452.tif 000005
【図５】
0003898452.tif 000006
【図６】
0003898452.tif 000007
【図７】
0003898452.tif 000008
【図８】
0003898452.tif 000009